(57)【特許請求の範囲】
【請求項１】
画像を液晶表示面に表示する表示手段と、
白色発光ダイオードにより前記液晶表示面を背面から照光するバックライトと、
前記白色発光ダイオードの色度を識別する識別手段と、
前記識別手段が識別した色度に基づいて前記画像の色を補正する色補正手段と、
前記白色発光ダイオードが発する光の色度に応じて異なる回路構成を保持する保持手段と、
を具備し、
前記識別手段は、
前記保持手段に対して所定レベルの信号を供給した際に、前記回路構成の相違に起因して生ずる前記保持手段から出力される信号のレベルの相違を検出して前記白色発光ダイオードの色度を識別する、
携帯電子機器。
【請求項２】
前記保持手段は、１つの入力部と少なくとも１つの出力部を有するとともに、前記入力部と前記出力部とを接続する電気配線に直列に接続する抵抗の有無により異なる回路構成を有し、
前記識別手段は、前記入力部に所定レベルの信号を供給し、前記出力部から出力された信号のレベルの相違を検出する請求項１記載の携帯電子機器。
【請求項３】
前記保持手段は、１つの入力部と少なくとも１つの出力部を有するとともに、前記入力部と前記出力部とを接続する電気配線の電気的な断線の有無により異なる回路構成を有し、
前記識別手段は、前記入力部に所定レベルの信号を供給し、前記出力部から出力された信号のレベルの相違を検出する請求項１記載の携帯電子機器。
【請求項４】
前記保持手段は、１つの入力部と少なくとも１つの出力部を有するとともに、前記入力部と前記出力部とを接続する電気配線の有無により異なる回路構成を有し、
前記識別手段は、前記入力部に所定レベルの信号を供給し、前記出力部から出力された信号のレベルの相違を検出する請求項１記載の携帯電子機器。
【請求項５】
前記保持手段は、前記白色発光ダイオードを実装する基板に、前記異なる回路構成を有する電気配線を形成する請求項１から請求項４のいずれかに記載の携帯電子機器。
【請求項６】
前記保持手段は、前記白色発光ダイオードが発する光の色度の属する色度図上の所定の領域毎に異なる回路構成を有し、
前記識別手段は、前記色度の識別として前記領域を識別する請求項１から請求項４のいずれかに記載の携帯電子機器。
【発明の詳細な説明】
【技術分野】
【０００１】
本発明は、携帯電子機器に関し、特にバックライトに搭載する白色発光ダイオードが発する光の色度のばらつきを低減する携帯電子機器に関する。
【背景技術】
【０００２】
従来の一般的な液晶表示装置（以下「ＬＣＤ」と記載する）としては、図２０〜図２１（ｂ）に示すものが知られている。図２０は、従来のＬＣＤ１の断面図であり、図２１（ａ）は、ＬＣＤ１の平面図であり、図２１（ｂ）は、ＬＣＤ１の一部を破断した平面図である。
【０００３】
ＬＣＤ１は、偏光板１１、ガラス基板１２、ＬＣＤドライバＩＣ１３及びＦＰＣ１４を電気的及び機械的に接続したガラス基板１５、偏光板１６、リムシート１７、拡散する光を鉛直方向に集める集光シート１８、１９、明るさのムラを一様にする拡散シート２０、ＦＰＣ２１に接続される発光ダイオード（以下「ＬＥＤ」と記載する）２２、ＬＥＤ２２の光を導く導光板２３、ＬＥＤ２２の下方向に広がる光を上方向に反射させる反射シート２４、これらを収納するホルダ２５を含む。また、偏光板１１、ガラス基板１２、ＬＣＤドライバＩＣ１３、ガラス基板１５及び偏光板１６は、液晶パネル本体を構成する。また、集光シート１８、１９、拡散シート２０、ＬＥＤ２２、導光板２３及び反射シート２４は、面状発光装置（バックライト）を構成する。また、リムシート１７は、液晶パネル本体と面状発光装置を貼り付けるものである。
【０００４】
また、図２１（ｂ）より、ＬＣＤ１は、ＬＥＤ２２による有効発光領域５０（リムシート１７中の白抜きの部分）を有する。また、ＬＥＤ２２は、ＦＰＣ２１の底面側（図２１（ｂ）の紙面奥側）に形成した回路パターンに電気的及び機械的に接続する。
【０００５】
また、近年、携帯電話等の携帯電子機器に搭載されるＬＣＤ１に対する高画質化の要求が高まっており、ＬＣＤ１に表示される画像の色のばらつきの低減が必要になってきている。また、ＬＣＤ１は、面状発光装置に搭載されたＬＥＤ２２により背面から照光されるので、ＬＣＤ１に表示される画像の色のばらつきを低減するためには、面状発光装置のＬＥＤ２２の色度のばらつきを低減する必要がある。
【０００６】
また、従来、ＬＥＤの色度のばらつきを低減する方法として、特許文献１の方法が知られている。特許文献１は、目標色度の中心から相反する方向に外れた色度を有する光源を隣接して配置することにより、色調ムラを抑えるものである。
【０００７】
カラー表示を行うＬＣＤの面状発光装置には、一般に白色ＬＥＤが使用される。白色ＬＥＤの色度は、通常、図２２に示すように、色度に応じて複数のランクに分けられている。図２２は、色度に応じたＬＥＤのランクの一例を示す図である。図２２の場合、色度は、１２のランク（ａ１，ａ２，ａ３，ｂ１，ｂ２，ｂ３，ｃ１，ｃ２，ｃ３，ｄ１，ｄ２，ｄ３）に分けられている。また、ＬＥＤは、発光体であるＬＥＤ素子を蛍光体で覆うため、ＬＥＤ素子の波長による矢印７０方向のばらつきと、ＬＥＤ素子を覆う蛍光体による矢印８０方向のばらつきにより、色度のばらつきが生じる。
【特許文献１】特開２００１−１８４９１８号公報
【発明の開示】
【発明が解決しようとする課題】
【０００８】
しかしながら、従来の装置においては、ＬＥＤの製造時に色度のばらつきが生じることより、特定の色度を有するＬＥＤのみを入手するとコストの増大を招くので、コスト低減の観点から、ある程度色度にばらつきがあるＬＥＤ即ち複数の色度のランクのＬＥＤを使用せざるを得ず、高画質化の要求に応えられないという問題がある。また、特許文献１においては、特定の色度を有するＬＥＤを入手する必要があるので、コストの増大を招くという問題がある。
【０００９】
本発明はかかる点に鑑みてなされたものであり、ＬＥＤが発する光の色度に応じてＬＣＤに表示する画像の色を補正することにより、コストを増大させることなく高画質化の要求に応えることができる携帯電子機器を提供することを目的とする。
【課題を解決するための手段】
【００１０】
本発明の携帯電子機器は、画像を液晶表示面に表示する表示手段と、白色発光ダイオードにより前記液晶表示面を背面から照光するバックライトと、前記白色発光ダイオードの色度を識別する識別手段と、前記識別手段が識別した色度に基づいて前記画像の色を補正する色補正手段と、前記白色発光ダイオードが発する光の色度に応じて異なる回路構成を保持する保持手段と、を具備し、前記識別手段は、前記保持手段に対して所定レベルの信号を供給した際に、前記回路構成の相違に起因して生ずる前記保持手段から出力される信号のレベルの相違を検出して前記白色発光ダイオードの色度を識別する構成を採る。
【発明の効果】
【００１１】
本発明によれば、ＬＥＤが発する光の色度に応じてＬＣＤに表示する画像の色を補正することにより、コストを増大させることなく高画質化の要求に応えることができる。
【発明を実施するための最良の形態】
【００１２】
以下、本発明の実施の形態について、図面を参照して詳細に説明する。
【００１３】
（実施の形態１）
図１は、本発明の実施の形態１に係る携帯電子機器１００の構成を示すブロック図である。図１より、制御部１１０は、入出力部１０３、制御部１０４、画像データ生成部１０５及び色補正部１０６を含む。
【００１４】
ＬＥＤ電源部１０１は、入出力部１０３からＬＥＤ電源制御信号を受けて面状発光装置１０２に電力を供給する。
【００１５】
面状発光装置１０２は、ＬＥＤ電源部１０１から電力の供給を受けて駆動する。また、面状発光装置１０２は、所定の色度のランクのＬＥＤ（図１では図示省略）を有し、ＬＥＤによりＬＣＤ１０７を背面から照光する。また、面状発光装置１０２は、入力用の１つの信号線１２１と出力用の２つの信号線１２２、１２３により入出力部１０３と接続されている。また、面状発光装置１０２は、入出力部１０３から信号線１２１を介してハイレベルの信号が入力した際に、信号線１２２、１２３を介して、ＬＥＤの色度のランク毎に異なるレベルの出力信号を入出力部１０３へ出力する。なお、面状発光装置１０２の詳細な構成については後述する。
【００１６】
入出力部１０３は、制御部１０４の制御に従って、ＬＥＤ電源部１０１からの電力の供給を制御するＬＥＤ電源制御信号を出力する。また、入出力部１０３は、出力ポート１０３ａ、入力ポート１０３ｂ及び入力ポート１０３ｃを有する。また、入出力部１０３は、制御部１０４の制御に従って、出力ポート１０３ａからハイレベルの信号を信号線１２１を介して面状発光装置１０２へ出力する。そして、入出力部１０３は、面状発光装置１０２から信号線１２２、１２３を介して入力ポート１０３ｃ、１０３ｂに入力した信号を制御部１０４へ出力する。信号線１２２、１２３はそれぞれ抵抗１２４、１２５を介してプルダウンされている。
【００１７】
識別手段としての制御部１０４は、入出力部１０３に対するＬＥＤ電源制御信号の出力タイミングを制御する。また、制御部１０４は、入出力部１０３の出力ポート１０３ａから出力するハイレベルの信号の出力タイミングを制御するとともに、入出力部１０３の入力ポート１０３ｂ、１０３ｃから入力した信号のレベルを各々検出する。また、制御部１０４は、信号のレベルの検出結果に基づいて、面状発光装置１０２に搭載されているＬＥＤが発する光の色度のランクを識別する。そして、制御部１０４は、識別結果に基づいて、色補正部１０６に対して、画像データの画像の色を補正する制御を行う。なお、画像の色の補正方法については後述する。
【００１８】
画像データ生成部１０５は、画像データを生成して、生成した画像データを色補正部１０６へ出力する。
【００１９】
色補正部１０６は、制御部１０４の制御に従って、画像データ生成部１０５から入力した画像データの画像の色を補正する。そして、色補正部１０６は、補正した画像の画像データをＬＣＤ１０７へ出力する。
【００２０】
表示手段としてのＬＣＤ１０７は、色補正部１０６から入力した画像データの画像を表示する。また、ＬＣＤ１０７は、面状発光装置１０２のＬＥＤにより背面から照光される。
【００２１】
なお、制御部１１０は、ＬＣＤ１０７に対して同期信号及び液晶動作制御信号を出力して、ＬＣＤ１０７の動作を制御する。
【００２２】
次に、面状発光装置１０２の構成について、図２を用いて説明する。図２は、面状発光装置１０２と入出力部１０３の構成を示す図である。
【００２３】
ＬＥＤ２０１は、例えば白色ＬＥＤであり、所定の色度のランクのものを使用する。また、ＬＥＤ２０１は、ＬＥＤ電源部１０１から電力の供給を受けることにより駆動してＬＣＤ１０７を背面から照光する。また、ＬＥＤ２０１が白色ＬＥＤの場合には、青色ＬＥＤの発光部を黄色の蛍光体、または緑と赤の蛍光体で覆うことにより形成する。なお、図２においては、ＬＥＤ２０１は、３つのＬＥＤから構成されるが、これらのＬＥＤは同一の色度のランクのものを使用する。
【００２４】
保持手段としてのランク識別部２０２は、ＬＥＤ２０１の色度のランク毎に異なる回路構成を保持し、入出力部１０３の出力ポートから出力されたハイレベルの信号が入力した際に、回路構成の相違に起因して、ＬＥＤ２０１の色度のランクに応じて、ハイレベルまたはローレベルの信号を入出力部１０３の入力ポート１０３ｂ、１０３ｃへ出力する。また、ランク識別部２０２は、ＬＥＤ２０１が実装されるＦＰＣ等の回路基板上に、ＬＥＤ２０１の色度のランク毎に異なる回路構成を有する電気配線を形成している。なお、ランク識別部２０２は、ＬＥＤ２０１が実装される回路基板と別体の回路基板に形成されていても良い。
【００２５】
図３（ａ）〜図３（ｄ）は、ＬＥＤ２０１の色度のランク毎に回路構成が異なるランク識別部２０２を示す図である。図３（ａ）〜図３（ｄ）は、４つの色度のランクのＬＥＤ２０１を使用する場合を示すものである。例えば、図２２のａ２、ａ３、ｂ２、ｂ３の４つの色度のランクのＬＥＤ２０１を使用して、これを識別することができる。
【００２６】
図３（ａ）〜図３（ｄ）より、ランク識別部２０２は、１つの入力端子２０２ａと２つの出力端子２０２ｂ、２０２ｃを有する。また、ランク識別部２０２は、入力端子２０２ａと出力端子２０２ｂとが、印刷等により形成された電気配線３０８により接続されているとともに、入力端子２０２ａと出力端子２０２ｃとが、印刷等により形成された電気配線３０９により接続されている。電気配線３０８には、直列に抵抗を接続するためのランド３０８ａ、３０８ｂが設けられているとともに、電気配線３０９には、直列に抵抗を接続するためのランド３０９ａ、３０９ｂが設けられている。また、ランド３０８ａとランド３０８ｂの間、及びランド３０９ａとランド３０９ｂの間は、配線パターンが形成されておらず、抵抗が接続されていない場合にはオープンになっている。ランク識別部２０２は、ＬＥＤ２０１の色度のランクに応じて、電気配線３０８、３０９に直列に抵抗が接続されている回路構成と接続されていない回路構成を有する。電気配線３０８、３０９に直列に接続する抵抗の抵抗値は０Ωまたは０Ωに近い低い抵抗値を持つ。よって電気配線３０８において、直列に抵抗３０２が接続された場合は、入力端子２０２ａと出力端子２０２ｂは電気的に短絡された状態となる。同様に電気配線３０９において、直列に抵抗３０１が接続された場合は、入力端子２０２ａと出力端子２０２ｃは電気的に短絡された状態となる。また、電気配線３０８において直列に抵抗が接続されない場合は、入力端子２０２ａと出力端子２０２ｂは電気的に絶縁された状態となる。同様に電気配線３０９において直列に抵抗が接続されない場合は、入力端子２０２ａと出力端子２０２ｃは電気的に絶縁された状態となる。
【００２７】
即ち、図３（ａ）では、ランク識別部２０２は、電気配線３０９の第１経路３１０及び電気配線３０８の第２経路３１１の何れにも抵抗が接続されていない。この場合、信号線１２２、１２３の信号レベルは、抵抗１２４、１２５を介してプルダウンされているためにローレベル「０」となる。従って、入出力部１０３の出力ポート１０３ａからハイレベル「１」の信号が信号線１２１を介してランク識別部２０２の入力端子２０２ａに入力した際に、出力端子２０２ｃから信号線１２２を介して入出力部１０３の入力ポート１０３ｃに入力する信号、及び出力端子２０２ｂから信号線１２３を介して入出力部１０３の入力ポート１０３ｂに入力する信号のレベルは、制御部１０４においては、何れもローレベル「０」の信号として検出される。
【００２８】
また、図３（ｂ）では、ランク識別部２０２は、電気配線３０９の第１経路３１０には抵抗３０１が直列に接続されており、電気配線３０８の第２経路３１１には抵抗が接続されていない。従って、入出力部１０３の出力ポート１０３ａからハイレベル「１」の信号が信号線１２１を介してランク識別部２０２の入力端子２０２ａに入力した際に、出力端子２０２ｃは入力端子２０２ａと短絡されているから、出力端子２０２ｃから信号線１２２を介して入出力部１０３の入力ポート１０３ｃに入力する信号のレベルは、制御部１０４においては、ハイレベル「１」の信号として検出され、出力端子２０２ｂから信号線１２３を介して入出力部１０３の入力ポート１０３ｂに入力する信号のレベルは、図３（ａ）の場合と同様に制御部１０４においては、ローレベル「０」の信号として検出される。
【００２９】
また、図３（ｃ）では、ランク識別部２０２は、電気配線３０９の第１経路３１０には抵抗が接続されておらず、電気配線３０８の第２経路３１１には抵抗３０２が直列に接続されている。従って、入出力部１０３の出力ポート１０３ａからハイレベル「１」の信号が信号線１２１を介してランク識別部２０２の入力端子２０２ａに入力した際に、出力端子２０２ｃから信号線１２２を介して入出力部１０３の入力ポート１０３ｃに入力する信号のレベルは、図３（ａ）の場合と同様に制御部１０４においては、ローレベル「０」の信号として検出され、出力端子２０２ｂから信号線１２３を介して入出力部１０３の入力ポート１０３ｂに入力する信号のレベルは、出力端子２０２ｂは入力端子２０２ａと短絡されているから、制御部１０４においては、ハイレベル「１」の信号として検出される。
【００３０】
また、図３（ｄ）では、ランク識別部２０２は、電気配線３０９の第１経路３１０及び電気配線３０８の第２経路３１１の何れにも抵抗３０１、３０２が直列に接続されている。従って、入出力部１０３の出力ポート１０３ａからハイレベル「１」の信号が信号線１２１を介してランク識別部２０２の入力端子２０２ａに入力した際に、出力端子２０２ｃから信号線１２２を介して入出力部１０３の入力ポート１０３ｃに入力する信号、及び出力端子２０２ｂから信号線１２３を介して入出力部１０３の入力ポート１０３ｂに入力する信号のレベルは、出力端子２０２ｂ、２０２ｃの何れも入力端子２０２ａと短絡されているから、制御部１０４においては、何れもハイレベル「１」の信号として検出される。
【００３１】
図４は、図３（ａ）〜図３（ｄ）に示すランク識別部２０２の色度のランク毎の抵抗の有無を示す図である。
【００３２】
次に、画像の色の補正方法について、図５を用いて説明する。図５は、画像の色の補正方法を示すフロー図である。
【００３３】
最初に、ＬＥＤ電源部１０１は、ＬＥＤ電源制御信号が入力することにより電源オンする（ステップＳＴ５０１）。
【００３４】
次に、入出力部１０３は、出力ポート１０３ａから信号線１２１を介してハイレベルの信号を面状発光装置１０２へ出力する（Ｈ出力）（ステップＳＴ５０２）。
【００３５】
次に、制御部１０４は、信号線１２２を介して入出力部１０３の入力ポート１０３ｃに入力した信号及び信号線１２３を介して入出力部１０３の入力ポート１０３ｂに入力した信号のレベルに基づいて論理判定を行う（ステップＳＴ５０３）。
【００３６】
次に、制御部１０４は、入力ポート１０３ｃに入力した信号のレベル及び入力ポート１０３ｂに入力した信号のレベルが何れもローレベル「Ｌ」であるか否か判定する（ステップＳＴ５０４）。
【００３７】
何れもローレベルである場合には、制御部１０４は、あらかじめ記憶しているテーブルを参照する。図６は、制御部１０４が記憶しているテーブルを示す図である。図６より、制御部１０４は、入力ポート１０３ｃと入力ポート１０３ｂの双方がローレベルの場合には、ＬＥＤ２０１の色度のランクはランク１であり、色補正１の色補正を行うことを選択する。
【００３８】
次に、色補正部１０６は、制御部１０４の制御に従って、色補正１の色補正を行う（ステップＳＴ５０５）。
【００３９】
図７（ａ）〜図７（ｄ）は、画像の色の補正方法を示す図である。
【００４０】
図７（ａ）より、色補正部１０６は、色度ランク１のＬＥＤ２０１の色度に対して、ＬＣＤ１０７に表示される画像が、目標色度ばらつき範囲＃７０１に色補正（色補正１）された画像として表示されるように、画像データの色を補正する。
【００４１】
図８（ａ）〜図８（ｃ）は、画像の色の補正方法を示す図である。図８（ａ）は、赤色（Ｒ）の入力階調と出力階調の関係を示す図であり、図８（ｂ）は、緑色（Ｇ）の入力階調と出力階調の関係を示す図であり、図８（ｃ）は、青色（Ｂ）の入力階調と出力階調の関係を示す図である。
【００４２】
例えば、色補正部１０６は、図７（ａ）の色補正１の色補正を行う際には、図８（ｂ）に破線で示した、緑色（Ｇ）の入力階調と出力階調が等しい状態から、図８（ｂ）に実線で示した、緑色（Ｇ）の出力階調が入力階調よりも小さい値になるように、画像データを補正する。即ち、色補正部１０６は、緑色（Ｇ）の出力階調を制限することにより、色調が緑色の補色であるマゼンタ方向へシフトするように、画像データの色を補正する。なお、図８の場合、色補正部１０６は、赤色（Ｒ）及び青色（Ｂ）は補正していないが、赤色（Ｒ）及び緑色（Ｇ）及び青色（Ｂ）の出力階調の制限を適切に行うことによって、色調のシフトを自由に制御することができる。
【００４３】
図５に戻って、ステップＳＴ５０４において、入力ポート１０３ｃに入力した信号のレベル及び入力ポート１０３ｂに入力した信号のレベルが何れもローレベル「Ｌ」でない場合に、制御部１０４は、入力ポート１０３ｃに入力した信号のレベルがハイレベル「Ｈ」且つ入力ポート１０３ｂに入力した信号のレベルがローレベル「Ｌ」であるか否かを判定する（ステップＳＴ５０６）。
【００４４】
入力ポート１０３ｃに入力した信号のレベルがハイレベル「Ｈ」且つ入力ポート１０３ｂに入力した信号のレベルがローレベル「Ｌ」である場合には、制御部１０４は、図６のテーブルを参照する。これより、制御部１０４は、入力ポート１０３ｃに入力した信号のレベルがハイレベル「Ｈ」且つ入力ポート１０３ｂに入力した信号のレベルがローレベル「Ｌ」である場合には、ＬＥＤ２０１の色度のランクはランク２であり、色補正２の色補正を行うことを選択する。
【００４５】
次に、色補正部１０６は、制御部１０４の制御に従って、色補正２の色補正を行う（ステップＳＴ５０７）。
【００４６】
図７（ｂ）より、色補正部１０６は、色度ランク２のＬＥＤ２０１の色度に対して、ＬＣＤ１０７に表示される画像が、目標色度ばらつき範囲＃７０１に色補正（色補正２）された画像として表示されるように、画像データの色を補正する。
【００４７】
一方、ステップＳＴ５０６において、入力ポート１０３ｃに入力した信号のレベルがハイレベル「Ｈ」且つ入力ポート１０３ｂに入力した信号のレベルがローレベル「Ｌ」でない場合には、制御部１０４は、入力ポート１０３ｃに入力した信号のレベルがローレベル「Ｌ」且つ入力ポート１０３ｂに入力した信号のレベルがハイレベル「Ｈ」であるか否かを判定する（ステップＳＴ５０８）。
【００４８】
入力ポート１０３ｃに入力した信号のレベルがローレベル「Ｌ」且つ入力ポート１０３ｂに入力した信号のレベルがハイレベル「Ｈ」である場合には、制御部１０４は、図６のテーブルを参照する。これより、制御部１０４は、入力ポート１０３ｃに入力した信号のレベルがローレベル「Ｌ」且つ入力ポート１０３ｂに入力した信号のレベルがハイレベル「Ｈ」である場合には、ＬＥＤ２０１の色度のランクはランク３であり、色補正３の色補正を行うことを選択する。
【００４９】
次に、色補正部１０６は、制御部１０４の制御に従って、色補正３の色補正を行う（ステップＳＴ５０９）。
【００５０】
図７（ｃ）より、色補正部１０６は、色度ランク３のＬＥＤ２０１の色度に対して、ＬＣＤ１０７に表示される画像が、目標色度ばらつき範囲＃７０１に色補正（色補正３）された画像として表示されるように、画像データの色を補正する。
【００５１】
一方、ステップＳＴ５０８において、入力ポート１０３ｃに入力した信号のレベルがローレベル「Ｌ」且つ入力ポート１０３ｂに入力した信号のレベルがハイレベル「Ｈ」でない場合には、制御部１０４は、入力ポート１０３ｃに入力した信号のレベル及び入力ポート１０３ｂに入力した信号のレベルが何れもハイレベル「Ｈ」として判定し、図６のテーブルを参照する。これより、制御部１０４は、入力ポート１０３ｃに入力した信号のレベル及び入力ポート１０３ｂに入力した信号のレベルが何れもハイレベル「Ｈ」である場合には、ＬＥＤ２０１の色度のランクはランク４であり、色補正４の色補正を行うことを選択する。
【００５２】
次に、色補正部１０６は、制御部１０４の制御に従って、色補正４の色補正を行う（ステップＳＴ５１０）。
【００５３】
図７（ｄ）より、色補正部１０６は、色度ランク４のＬＥＤ２０１の色度に対して、ＬＣＤ１０７に表示される画像が、目標色度ばらつき範囲＃７０１に色補正（色補正４）された画像として表示されるように、画像データの色を補正する。
【００５４】
また、制御部１０４は、ステップＳＴ５０５、ステップＳＴ５０７、ステップＳＴ５０９またはステップＳＴ５１０の処理が終了した後に、入出力部１０３の出力ポートからローレベル「Ｌ」の信号を出力させることにより、ＬＥＤ２０１の色度のランクの識別と色補正部１０６で行う色補正の選択を終了する（ステップＳＴ５１１）。これ以降、色補正部１０６は画像データ生成部１０５から入力される全ての画像に対し、制御部１０４が選択した色補正を施してＬＣＤ１０７へ出力する。
【００５５】
ここで、目標色度ばらつき範囲は、任意の範囲に設定することが可能である。ただし、目標色度ばらつき範囲は、黒体放射軌跡上に設定することが好ましい。黒体放射軌跡上の色は、人間の目には自然な白色に見えるものであり、黒体放射軌跡から色度図の上方にいくにつれて、画像に対する緑色の影響が大きくなり、黒体放射軌跡から色度図の下方にいくにつれて画像に対する赤紫色の影響が大きくなる。目標色度ばらつき範囲を黒体放射軌跡上に設定することで携帯電子機器１００に表示される画像の色調も自然なものとすることができる。
【００５６】
図９（ａ）〜図９（ｄ）は、黒体放射軌跡１０００上に設定した目標色度ばらつき範囲１０１０に画像の色を補正する方法を示す図である。図９（ａ）〜図９（ｄ）に示すように、ＬＥＤ２０１の波長ばらつきとＬＥＤ２０１の発光部を覆う蛍光体のばらつきによる色度のばらつきを、色度図上の補正によるシフト量（色補正１〜色補正４の矢印の向きと長さ）を制御することにより、色補正部１０６は、黒体放射軌跡１０００上の目標色度ばらつき範囲１０１０内に画像の色を補正することができる。なお、図９（ａ）〜図９（ｄ）における色の補正方法は、色度図上のシフト量以外は図５と同一であるので、その説明を省略する。
【００５７】
ここで、色の補正方法は、ＬＥＤ２０１の波長のばらつきとＬＥＤ２０１の発光部を覆う蛍光体のばらつきの双方を補正する場合に限らず、ＬＥＤ２０１の波長のばらつきのみ、またはＬＥＤ２０１の発光部を覆う蛍光体のばらつきのみを補正しても良い。即ち、制御部１０４は、色の補正を行う際に、図２２の矢印７０方向のみ、または矢印８０方向のみにシフトさせる補正を行うように制御しても良い。
【００５８】
また、図１０（ａ）及び図１０（ｂ）は、本実施の形態における他の色の補正方法を示す図である。
【００５９】
図１０（ａ）及び図１０（ｂ）に示すように、制御部１０４は、ＬＥＤ２０１の波長ばらつきのみを補正して画像の色を補正するように制御しても良い。即ち、制御部１０４は、ＬＥＤ２０１の波長ばらつき方向１１２０のみに色補正して、黒体放射軌跡１１００上の目標色度ばらつき範囲１１１０にＬＣＤ１０７に表示する画像の色を近づけることができる。この際、図１０（ａ）及び図１０（ｂ）の色補正１及び色補正２のように、制御部１０４は、複数の色度のランクをまとめて一緒に色度図上をシフトさせて色補正を行うように制御することができる。即ち、制御部１０４は、図１０（ａ）に示すように、図７の色度ランク１、３をまとめて一つの色度ランク１とし、黒体放射軌跡１１００上の目標色度ばらつき範囲１１１０にＬＣＤ１０７に表示する画像の色が近づくように色補正することができる。また、制御部１０４は、図１０（ｂ）に示すように、図７の色度ランク２、４をまとめて一つの色度ランク２とし、黒体放射軌跡１１００上の目標色度ばらつき範囲１１１０にＬＣＤ１０７に表示する画像の色が近づくように色補正することができる。
【００６０】
また、図１１（ａ）及び図１１（ｂ）は、本実施の形態におけるさらに他の色の補正方法を示す図である。
【００６１】
図１１（ａ）及び図１１（ｂ）に示すように、制御部１０４は、ＬＥＤの蛍光体のばらつきのみを補正して画像の色を補正するようにしても良い。即ち、制御部１０４は、ＬＥＤの蛍光体のばらつき方向１２２０のみに色補正して、黒体放射軌跡１２００上の目標色度ばらつき範囲１２１０にＬＣＤ１０７に表示する画像の色度が近づくように色補正することができる。この際、制御部１０４は、図１１（ａ）に示すように、図７の色度ランク３、４をまとめて一つの色度ランク１とし、また、制御部１０４は、図１１（ｂ）に示すように、図７の色度ランク１、２をまとめて一つの色度ランク２とし、黒体放射軌跡１２００上の目標色度ばらつき範囲１２１０にＬＣＤ１０７に表示する画像の色が近づくように色補正することができる。
【００６２】
このように、本実施の形態によれば、ＬＥＤが発する光の色度に応じてＬＣＤに表示する画像の色を補正することにより、コストを増大させることなく高画質化の要求に応えることができる。また、本実施の形態によれば、ＬＥＤの波長ばらつきのみまたはＬＥＤの蛍光体のばらつきのみを補正する場合には、ＬＥＤの波長ばらつきと蛍光体のばらつきの双方を補正する場合に比べて、色補正に伴う回路処理の負荷を軽減することができる。また、本実施の形態によれば、ＬＥＤを実装する回路基板に、実装されたＬＥＤの色度のランクを識別するための回路を一緒に形成するので、携帯電子機器に組み込まれたＬＥＤの色度のランクと異なるランクを示す回路構成を有するランク識別部が、誤って携帯電子機器に実装されてしまうことを防ぐことができる。
【００６３】
なお本実施の形態では、図８で説明したように色補正を赤（Ｒ）、緑（Ｇ）、青（Ｂ）の各入力階調に対し出力階調を適当に制限することで実現したが、本発明はこれに限定されるものではなく、色度の補正を他の方法で実現しても良い。例えば、ＲＧＢの画像信号をＹＵＶ空間やＨＳＶ空間に変換し、その空間内で色補正を施してから、ＲＧＢに戻すようにしても良い。
【００６４】
（実施の形態２）
図１２は、本発明の実施の形態２に係る色の補正方法を示すフロー図である。なお、本実施の形態において、携帯電子機器の構成は図１と同一構成であるので、その説明を省略する。また、図１２の説明では、図１及び図２の参照符号を用いて説明する。
【００６５】
最初に、ＬＥＤ電源部１０１は、ＬＥＤ電源制御信号が入力することにより電源オンする（ステップＳＴ１３０１）。
【００６６】
図１３は、ランク識別部２０２と入出力部１０３の構成を示す図である。本実施の形態においては、入出力部１０３は、１つの出力ポート１０３ａと４つの入力ポート１０３ｄ〜１０３ｇによりランク識別部２０２と接続している。また、入出力部１０３の出力ポート１０３ａは、信号線１４０１を介してランク識別部２０２と接続しており、入出力部１０３の４つの入力ポート１０３ｄ〜１０３ｇは、信号線１４０２〜１４０５を介してランク識別部２０２と各々接続している。信号線１４０２〜１４０５はそれぞれ抵抗１４０６〜１４０９を介してプルダウンされている。
【００６７】
また、ランク識別部２０２は、１つの入力端子２０２ａと４つの出力端子２０２ｄ〜２０２ｇを有するとともに、入力端子２０２ａと出力端子２０２ｄとが、印刷等により形成された電気配線１４０１により接続され、入力端子２０２ａと出力端子２０２ｅとが、印刷等により形成された電気配線１４０２により接続され、入力端子２０２ａと出力端子２０２ｆとが、印刷等により形成された電気配線１４０３により接続されるとともに、入力端子２０２ａと出力端子２０２ｇとが、印刷等により形成された電気配線１４０４により接続されている。また、ランク識別部２０２は、ＬＥＤ２０１の色度のランクに応じて、電気配線１４０１〜１４０４の各々に直列に抵抗が接続されている回路構成と接続されていない回路構成を有する。なお、図１３において、抵抗Ｒ１〜Ｒ４は、ＬＥＤの色度のランクに応じて、適宜未実装にする。
【００６８】
図１４は、ランク識別部２０２の色度ランク毎の図１３の抵抗Ｒ１〜Ｒ４の挿入の有無を示す図である。
【００６９】
図１２に戻って、次に、入出力部１０３は、出力ポート１０３ａから信号線１４０１を介してハイレベルの信号を面状発光装置１０２へ出力する（Ｈ出力）（ステップＳＴ１３０２）。
【００７０】
次に、制御部１０４は、信号線１４０２を介して入出力部１０３の入力ポート１０３ｄに入力した信号、信号線１４０３を介して入出力部１０３の入力ポート１０３ｅに入力した信号、信号線１４０４を介して入出力部１０３の入力ポート１０３ｆに入力した信号、及び信号線１４０５を介して入出力部１０３の入力ポート１０３ｇに入力した信号のレベルに基づいて論理判定を行う（ステップＳＴ１３０３）。
【００７１】
次に、制御部１０４は、入力ポート１０３ｄ〜１０３ｇに入力した信号のレベルが何れもローレベル「Ｌ」であるか否か判定する（ステップＳＴ１３０４）。
【００７２】
何れもローレベルである場合には、制御部１０４は、あらかじめ記憶しているテーブルを参照する。図１５は、制御部１０４が記憶しているテーブルを示す図である。図１５より、制御部１０４は、入力ポート１０３ｄ〜１０３ｇの全てがローレベルの場合には、ＬＥＤ２０１の色度のランクはランク１であり、色補正１の色補正を行うことを選択する。
【００７３】
次に、色補正部１０６は、制御部１０４の制御に従って、色補正１の色補正を行う（ステップＳＴ１３０５）。
【００７４】
図１６（ａ）〜図１６（ｉ）は、画像の色の補正方法を示す図である。
【００７５】
図１６（ａ）より、色補正部１０６は、色度ランク１のＬＥＤ２０１の色度に対して、ＬＣＤ１０７に表示される画像が、黒体放射軌跡１７００上の目標色度ばらつき範囲＃１７１０に色補正（色補正１）された画像として表示されるように、画像データの色を補正する。
【００７６】
一方、ステップＳＴ１３０４において、入力ポート１０３ｄ〜１０３ｇに入力した信号のレベルが何れもローレベル「Ｌ」でない場合に、制御部１０４は、入力ポート１０３ｄ〜１０３ｆに入力した信号のレベルがローレベル「Ｌ」且つ入力ポート１０３ｇに入力した信号のレベルがハイレベル「Ｈ」であるか否かを判定する（ステップＳＴ１３０６）。
【００７７】
入力ポート１０３ｄ〜入力ポート１０３ｆに入力した信号のレベルがローレベル「Ｌ」且つ入力ポート１０３ｇに入力した信号のレベルがハイレベル「Ｈ」である場合には、制御部１０４は、図１５のテーブルを参照する。これより、制御部１０４は、入力ポート１０３ｄ〜１０３ｆに入力した信号のレベルがローレベル「Ｌ」且つ入力ポート１０３ｇに入力した信号のレベルがハイレベル「Ｈ」である場合には、ＬＥＤ２０１の色度のランクはランク２であり、色補正２の色補正を行うことを選択する。
【００７８】
次に、色補正部１０６は、制御部１０４の制御に従って、色補正２の色補正を行う（ステップＳＴ１３０７）。
【００７９】
図１６（ｂ）より、色補正部１０６は、色度ランク２のＬＥＤ２０１の色度に対して、ＬＣＤ１０７に表示される画像が、黒体放射軌跡１７００上の目標色度ばらつき範囲＃１７１０に色補正（色補正２）された画像として表示されるように、画像データの色を補正する。
【００８０】
一方、ステップＳＴ１３０６において、入力ポート１０３ｄ〜１０３ｆに入力した信号のレベルがローレベル「Ｌ」且つ入力ポート１０３ｇに入力した信号のレベルがハイレベル「Ｈ」でない場合に、制御部１０４は、入力ポート１０３ｄ、１０３ｅ、１０３ｇに入力した信号のレベルがローレベル「Ｌ」且つ入力ポート１０３ｆに入力した信号のレベルがハイレベル「Ｈ」であるか否かを判定する（ステップＳＴ１３０８）。
【００８１】
入力ポート１０３ｄ、１０３ｅ、１０３ｇに入力した信号のレベルがローレベル「Ｌ」且つ入力ポート１０３ｆに入力した信号のレベルがハイレベル「Ｈ」である場合には、制御部１０４は、図１５のテーブルを参照する。これより、制御部１０４は、入力ポート１０３ｄ、１０３ｅ、１０３ｇに入力した信号のレベルがローレベル「Ｌ」且つ入力ポート１０３ｆに入力した信号のレベルがハイレベル「Ｈ」である場合には、ＬＥＤ２０１の色度のランクはランク３であり、色補正３の色補正を行うことを選択する。
【００８２】
次に、色補正部１０６は、制御部１０４の制御に従って、色補正３の色補正を行う（ステップＳＴ１３０９）。
【００８３】
図１６（ｃ）より、色補正部１０６は、色度ランク３のＬＥＤ２０１の色度に対して、ＬＣＤ１０７に表示される画像が、黒体放射軌跡１７００上の目標色度ばらつき範囲＃１７１０に色補正（色補正３）された画像として表示されるように、画像データの色を補正する。
【００８４】
一方、ステップＳＴ１３０８において、入力ポート１０３ｄ、１０３ｅ、１０３ｇに入力した信号のレベルがローレベル「Ｌ」且つ入力ポート１０３ｆに入力した信号のレベルがハイレベル「Ｈ」でない場合に、制御部１０４は、入力ポート１０３ｄ、１０３ｅに入力した信号のレベルがローレベル「Ｌ」且つ入力ポート１０３ｆ、１０３ｇに入力した信号のレベルがハイレベル「Ｈ」であるか否かを判定する（ステップＳＴ１３１０）。
【００８５】
入力ポート１０３ｄ、１０３ｅに入力した信号のレベルがローレベル「Ｌ」且つ入力ポート１０３ｆ、１０３ｇに入力した信号のレベルがハイレベル「Ｈ」である場合には、制御部１０４は、図１５のテーブルを参照する。これより、制御部１０４は、入力ポート１０３ｄ、１０３ｅに入力した信号のレベルがローレベル「Ｌ」且つ入力ポート１０３ｆ、１０３ｇに入力した信号のレベルがハイレベル「Ｈ」である場合には、ＬＥＤ２０１の色度のランクはランク４であり、色補正４の色補正を行うことを選択する。
【００８６】
次に、色補正部１０６は、制御部１０４の制御に従って、色補正４の色補正を行う（ステップＳＴ１３１１）。
【００８７】
図１６（ｄ）より、色補正部１０６は、色度ランク４のＬＥＤ２０１の色度に対して、ＬＣＤ１０７に表示される画像が、黒体放射軌跡１７００上の目標色度ばらつき範囲＃１７１０に色補正（色補正４）された画像として表示されるように、画像データの色を補正する。
【００８８】
一方、ステップＳＴ１３１０において、入力ポート１０３ｄ、１０３ｅに入力した信号のレベルがローレベル「Ｌ」且つ入力ポート１０３ｆ、１０３ｇに入力した信号のレベルがハイレベル「Ｈ」でない場合に、制御部１０４は、入力ポート１０３ｄ、１０３ｆ、１０３ｇに入力した信号のレベルがローレベル「Ｌ」且つ入力ポート１０３ｅに入力した信号のレベルがハイレベル「Ｈ」であるか否かを判定する（ステップＳＴ１３１２）。
【００８９】
入力ポート１０３ｄ、１０３ｆ、１０３ｇに入力した信号のレベルがローレベル「Ｌ」且つ入力ポート１０３ｅに入力した信号のレベルがハイレベル「Ｈ」である場合に、制御部１０４は、図１５のテーブルを参照する。これより、制御部１０４は、入力ポート１０３ｄ、１０３ｆ、１０３ｇに入力した信号のレベルがローレベル「Ｌ」且つ入力ポート１０３ｅに入力した信号のレベルがハイレベル「Ｈ」である場合には、ＬＥＤ２０１の色度のランクはランク５であり、色補正５の色補正を行うことを選択する。
【００９０】
次に、色補正部１０６は、制御部１０４の制御に従って、色補正５の色補正を行う（ステップＳＴ１３１３）。
【００９１】
図１６（ｅ）より、色補正部１０６は、色度ランク５のＬＥＤ２０１の色度に対して、ＬＣＤ１０７に表示される画像が、黒体放射軌跡１７００上の目標色度ばらつき範囲＃１７１０に色補正（色補正５）された画像として表示されるように、画像データの色を補正する。
【００９２】
一方、ステップＳＴ１３１２において、入力ポート１０３ｄ、１０３ｆ、１０３ｇに入力した信号のレベルがローレベル「Ｌ」且つ入力ポート１０３ｅに入力した信号のレベルがハイレベル「Ｈ」でない場合に、制御部１０４は、入力ポート１０３ｄ、１０３ｆに入力した信号のレベルがローレベル「Ｌ」且つ入力ポート１０３１０３ｅ、１０３ｇに入力した信号のレベルがハイレベル「Ｈ」であるか否かを判定する（ステップＳＴ１３１４）。
【００９３】
入力ポート１０３ｄ、１０３ｆに入力した信号のレベルがローレベル「Ｌ」且つ入力ポート１０３ｅ、１０３ｇに入力した信号のレベルがハイレベル「Ｈ」である場合に、制御部１０４は、図１５のテーブルを参照する。これより、制御部１０４は、入力ポート１０３ｄ、１０３ｆに入力した信号のレベルがローレベル「Ｌ」且つ入力ポート１０３ｅ、１０３ｇに入力した信号のレベルがハイレベル「Ｈ」である場合には、ＬＥＤ２０１の色度のランクはランク６であり、色補正６の色補正を行うことを選択する。
【００９４】
次に、色補正部１０６は、制御部１０４の制御に従って、色補正６の色補正を行う（ステップＳＴ１３１５）。
【００９５】
図１６（ｆ）より、色補正部１０６は、色度ランク６のＬＥＤ２０１の色度に対して、ＬＣＤ１０７に表示される画像が、黒体放射軌跡１７００上の目標色度ばらつき範囲＃１７１０に色補正（色補正６）された画像として表示されるように、画像データの色を補正する。
【００９６】
一方、ステップＳＴ１３１４において、入力ポート１０３ｄ、１０３ｆに入力した信号のレベルがローレベル「Ｌ」且つ入力ポート１０３ｅ、１０３ｇに入力した信号のレベルがハイレベル「Ｈ」でない場合に、制御部１０４は、入力ポート１０３ｄ、１０２ｇに入力した信号のレベルがローレベル「Ｌ」且つ入力ポート１０３ｅ、１０３ｆに入力した信号のレベルがハイレベル「Ｈ」であるか否かを判定する（ステップＳＴ１３１６）。
【００９７】
入力ポート１０３ｄ、１０３ｇに入力した信号のレベルがローレベル「Ｌ」且つ入力ポート１０３ｅ、１０３ｆに入力した信号のレベルがハイレベル「Ｈ」である場合に、制御部１０４は、図１５のテーブルを参照する。これより、制御部１０４は、入力ポート１０３ｄ、１０３ｇに入力した信号のレベルがローレベル「Ｌ」且つ入力ポート１０３ｅ、１０３ｆに入力した信号のレベルがハイレベル「Ｈ」である場合には、ＬＥＤ２０１の色度のランクはランク７であり、色補正７の色補正を行うことを選択する。
【００９８】
次に、色補正部１０６は、制御部１０４の制御に従って、色補正７の色補正を行う（ステップＳＴ１３１７）。
【００９９】
図１６（ｇ）より、色補正部１０６は、色度ランク７のＬＥＤ２０１の色度に対して、ＬＣＤ１０７に表示される画像が、黒体放射軌跡１７００上の目標色度ばらつき範囲＃１７１０に色補正（色補正７）された画像として表示されるように、画像データの色を補正する。
【０１００】
一方、ステップＳＴ１３１６において、入力ポート１０３ｄ、１０３ｇに入力した信号のレベルがローレベル「Ｌ」且つ入力ポート１０３ｅ、１０３ｆに入力した信号のレベルがハイレベル「Ｈ」でない場合に、制御部１０４は、入力ポート１０３ｄに入力した信号のレベルがローレベル「Ｌ」且つ入力ポート１０３ｅ〜１０３ｇに入力した信号のレベルがハイレベル「Ｈ」であるか否かを判定する（ステップＳＴ１３１８）。
【０１０１】
入力ポート１０３ｄに入力した信号のレベルがローレベル「Ｌ」且つ入力ポート１０３ｅ〜１０３ｇに入力した信号のレベルがハイレベル「Ｈ」である場合に、制御部１０４は、図１５のテーブルを参照する。これより、制御部１０４は、入力ポート１０３ｄに入力した信号のレベルがローレベル「Ｌ」且つ入力ポート１０３ｅ〜１０３ｇに入力した信号のレベルがハイレベル「Ｈ」である場合には、ＬＥＤ２０１の色度のランクはランク８であり、色補正８の色補正を行うことを選択する。
【０１０２】
次に、色補正部１０６は、制御部１０４の制御に従って、色補正８の色補正を行う（ステップＳＴ１３１９）。
【０１０３】
図１６（ｈ）より、色補正部１０６は、色度ランク８のＬＥＤ２０１の色度に対して、ＬＣＤ１０７に表示される画像が、黒体放射軌跡１７００上の目標色度ばらつき範囲＃１７１０に色補正（色補正８）された画像として表示されるように、画像データの色を補正する。
【０１０４】
一方、ステップＳＴ１３１８において、入力ポート１０３ｄに入力した信号のレベルがローレベル「Ｌ」且つ入力ポート１０３ｅ〜１０３ｇに入力した信号のレベルがハイレベル「Ｈ」でない場合に、制御部１０４は、ＬＥＤ２０１の色度のランクはランク９であり、色補正９の色補正を行うことを選択する。
【０１０５】
次に、色補正部１０６は、制御部１０４の制御に従って、色補正９の色補正を行う（ステップＳＴ１３２０）。
【０１０６】
図１６（ｉ）より、色補正部１０６は、色度ランク９のＬＥＤ２０１の色度に対して、ＬＣＤ１０７に表示される画像が、黒体放射軌跡１７００上の目標色度ばらつき範囲＃１７１０に色補正（色補正９）された画像として表示されるように、画像データの色を補正する。なお、色補正９の場合、図１４のテーブルにおいて、抵抗Ｒ１〜Ｒ４の全てが実装されることにしたが、本発明はこれに限らず、抵抗Ｒ１〜Ｒ４が色度ランク１〜８における実装及び未実装の状態と異なれば、任意の状態にすることができる。例えば、色度ランク９の場合、ランク識別部２０２の回路構成及び図１４のテーブルにおいて、抵抗Ｒ１〜Ｒ３を実装し、且つ抵抗Ｒ４を未実装にしても良い。
【０１０７】
また、ステップＳＴ１３０５、ステップＳＴ１３０７、ステップＳＴ１３０９、ステップＳＴ１３１１、ステップＳＴ１３１３、ステップＳＴ１３１５、ステップＳＴ１３１７、ステップＳＴ１３１９及びステップＳＴ１３２０の処理が終了した後に、入出力部１０３の出力ポートからローレベル「Ｌ」の信号を出力させることにより、ＬＥＤ２０１の色度のランクの識別と色補正部１０６で行う色補正の選択の処理を終了する（ステップＳＴ１３２１）。これ以降、色補正部１０６は画像データ生成部１０５から入力される全ての画像に対し、制御部１０４が選択した色補正を施してＬＣＤ１０７へ出力する。
【０１０８】
なお、色補正１〜９は、図１６に示すように黒体放射軌跡上の目標色度ばらつき範囲に補正する場合に限らず、任意に設定した目標色度ばらつき範囲に補正することができる。
【０１０９】
図１７は、本実施の形態における他の色の補正方法を示す図である。
【０１１０】
制御部１０４は、色補正１を行う場合、図１７（ａ）に示すように、９つのランクの内、４つのランクをまとめて、黒体放射軌跡１７００上の目標とする色度ばらつき範囲＃１７１０に補正する。また、制御部１０４は、色補正２を行う場合、図１７（ｂ）に示すように、９つのランクの内、２つのランクをまとめて、黒体放射軌跡１７００上の目標とする色度ばらつき範囲＃１７１７に補正する。また、制御部１０４は、色補正３を行う場合、図１７（ｃ）に示すように、９つのランクの内、２つのランクをまとめて、黒体放射軌跡１７００上の目標とする色度ばらつき範囲＃１７１０に補正する。また、制御部１０４は、色補正４を行う場合、図１７（ｄ）に示すように、９つのランクの内、１つのランクのみを黒体放射軌跡１７００上の目標とする色度ばらつき範囲＃１７１０に補正する。また、図１７の場合、色補正は４種類で良いので、制御部１０４が記憶するテーブルは図６と同一にすることができる。
【０１１１】
このように、本実施の形態によれば、ＬＥＤが発する光の色度に応じてＬＣＤに表示する画像の色を補正することにより、コストを増大させることなく高画質化の要求に応えることができる。また、本実施の形態によれば、ＬＥＤを実装する回路基板に、実装されたＬＥＤの色度のランクを識別するための回路を一緒に形成するので、携帯電子機器に組み込まれたＬＥＤの色度のランクと異なるランクを示す回路構成を有するランク識別部が、誤って携帯電子機器に実装されてしまうことを防ぐことができる。また、本実施の形態によれば、９つの色度のランクのＬＥＤの色度を補正するので、実施の形態１に比べて、広い色度の範囲のＬＥＤを使用するためＬＥＤのコストと調達のし易さを改善することができ、同時に製品全体の品質を向上させ、また、画像の色の細かな補正が可能であるので、表示品位を向上させることができる。
【０１１２】
（実施の形態３）
図１８（ａ）〜図１８（ｄ）は、本発明の実施の形態３に係るＬＥＤ２０１のランク毎に回路構成が異なるランク識別部２０２を示す図である。なお、図１８（ａ）〜図１８（ｄ）において、図３（ａ）〜図３（ｄ）と同一構成である部分には同一の符号を付してその説明を省略する。また、携帯電子機器の構成は図１と同一構成であり、色補正方法は、図５と同一であるので、その説明を省略する。
【０１１３】
図１８（ａ）〜図１８（ｄ）は、例えば、図２２のａ２、ａ３、ｂ２、ｂ３の４つのランクのＬＥＤ２０１を使用する場合を示すものである。
【０１１４】
図１８（ａ）〜図１８（ｄ）より、ランク識別部２０２は、１つの入力端子２０２ａと２つの出力端子２０２ｈ、２０２ｉを有する。また、ランク識別部２０２は、入力端子２０２ａと出力端子２０２ｈとが、印刷等により形成された電気配線１９０２により接続されているとともに、入力端子２０２ａと出力端子２０２ｉとが、印刷等により形成された電気配線１９０１により接続されている。また、ランク識別部２０２は、ＬＥＤ２０１の色度のランクに応じて、電気配線１９０１、１９０２に貫通孔が形成されている回路構成と形成されていない回路構成を有する。
【０１１５】
即ち、図１８（ａ）では、ランク識別部２０２は、電気配線１９０１の第１経路１９１０及び電気配線１９０２の第２経路１９１１の双方に、電気配線１９０１、１９０２を電気的に断線させる貫通孔１９５１、１９５２が形成されている。従って、入出力部１０３の出力ポートからハイレベル「１」の信号が信号線１２１を介してランク識別部２０２の入力端子２０２ａに入力した際に、入出力部１０３の入力ポート１０３ｂ、１０３ｃの何れにも信号が入力しないので、制御部１０４においては、何れもローレベル「０」が検出される。
【０１１６】
また、図１８（ｂ）では、ランク識別部２０２は、電気配線１９０１の第１経路１９１０には電気配線１９０１を電気的に断線する貫通孔が形成されておらず、電気配線１９０２の第２経路１９１１には電気配線１９０２を電気的に断線させる貫通孔１９５２が形成されている。従って、入出力部１０３の出力ポートからハイレベル「１」の信号が信号線１２１を介してランク識別部２０２の入力端子２０２ａに入力した際に、出力端子２０２ｉから信号線１２２を介して入出力部１０３の入力ポート１０３ｃに入力する信号のレベルは、制御部１０４においては、ハイレベル「１」の信号として検出され、入出力部１０３の入力ポート１０３ｂには信号が入力しないので、制御部１０４においては、ローレベル「０」が検出される。
【０１１７】
また、図１８（ｃ）では、ランク識別部２０２は、電気配線１９０１の第１経路１９１０には電気配線１９０１を電気的に断線させる貫通孔１９５１が形成されており、電気配線１９０２の第２経路１９１１には電気配線１９０２を電気的に断線させる貫通孔が形成されていない。従って、入出力部１０３の出力ポートからハイレベル「１」の信号が信号線１２１を介してランク識別部２０２の入力端子２０２ａに入力した際に、入出力部１０３の入力ポート１０３ｃには信号が入力しないので、制御部１０４においては、ローレベル「０」として検出され、出力端子２０２ｈから信号線１２３を介して入出力部１０３の入力ポート１０３ｂに入力する信号のレベルは、制御部１０４においては、ハイレベル「１」の信号として検出される。
【０１１８】
また、図１８（ｄ）では、ランク識別部２０２は、電気配線１９０１の第１経路１９１０及び電気配線１９０２の第２経路１９１１の何れにも電気配線１９０１、１９０２を電気的に断線させる貫通孔が形成されていない。従って、入出力部１０３の出力ポートからハイレベル「１」の信号が信号線１２１を介してランク識別部２０２の入力端子２０２ａに入力した際に、出力端子２０２ｉから信号線１２２を介して入出力部１０３の入力ポート１０３ｃに入力する信号、及び出力端子２０２ｈから信号線１２３を介して入出力部１０３の入力ポート１０３ｂに入力する信号のレベルは、制御部１０４においては、何れもハイレベル「１」の信号として検出される。
【０１１９】
このように、本実施の形態によれば、ＬＥＤが発する光の色度に応じてＬＣＤに表示する画像の色を補正することにより、コストを増大させることなく高画質化の要求に応えることができる。また、本実施の形態によれば、ＬＥＤを実装する回路基板に、実装されたＬＥＤの色度のランクを識別するための回路を一緒に形成するので、携帯電子機器に組み込まれたＬＥＤの色度のランクと異なるランクを示す回路構成を有するランク識別部が、誤って携帯電子機器に実装されてしまうことを防ぐことができる。また、本実施の形態によれば、ＬＥＤの波長ばらつきのみまたはＬＥＤの蛍光体ばらつきのみを補正する場合には、ＬＥＤの波長ばらつきと蛍光体のばらつきの双方を補正する場合に比べて、色補正に伴う回路処理の負荷を軽減することができる。また、本実施の形態によれば、貫通孔を形成することにより異なる回路構成を有する回路を用いてＬＥＤの色度のランクを識別することにより、簡易な回路構成でＬＥＤの色度のランクを識別することができるので、容易に製造することができるとともに、製造コストを低減することができる。
【０１２０】
なお、本実施の懈怠３において、貫通孔により回路パターンを電気的に断線させたが、本発明はこれに限らず、回路パターンを電気的に断線できれば、任意の方法を用いることができる。
【０１２１】
（実施の形態４）
図１９（ａ）〜図１９（ｄ）は、本発明の実施の形態４に係るＬＥＤ２０１のランク毎に回路構成が異なるランク識別部２０２を示す図である。なお、図１９（ａ）〜図１９（ｄ）において、図３（ａ）〜図３（ｄ）と同一構成である部分には同一の符号を付してその説明を省略する。また、携帯電子機器の構成は図１と同一構成であり、色補正方法は、図５と同一であるので、その説明を省略する。
【０１２２】
図１９（ａ）〜図１９（ｄ）は、例えば、図２２のａ２、ａ３、ｂ２、ｂ３の４つのランクのＬＥＤ２０１を使用する場合を示すものである。
【０１２３】
図１９（ａ）〜図１９（ｄ）より、ランク識別部２０２は、１つの入力端子２０２ａと２つの出力端子２０２ｊ、２０２ｋを有する。また、ランク識別部２０２は、入力端子２０２ａと出力端子２０２ｋとが、印刷等により形成された電気配線２００１により接続されているとともに、入力端子２０２ａと出力端子２０２ｊとが、印刷等により形成された電気配線２００２により接続されている。また、ランク識別部２０２は、ＬＥＤ２０１の色度のランクに応じて、電気配線２００１、２００２が形成されている回路構成と形成されていない回路構成を有する。
【０１２４】
即ち、図１９（ａ）では、ランク識別部２０２は、電気配線が形成されていない。従って、入出力部１０３の出力ポートからハイレベル「１」の信号が信号線１２１を介してランク識別部２０２の入力端子２０２ａに入力した際に、入出力部１０３の入力ポート１０３ｃ及び入力ポート１０３ｂに信号が入力しないので、制御部１０４においては、何れもローレベル「０」が検出される。
【０１２５】
また、図１９（ｂ）では、ランク識別部２０２は、信号線１２１と信号線１２２とを短絡する電気配線２００１が形成されている。従って、入出力部１０３の出力ポートからハイレベル「１」の信号が信号線１２１を介してランク識別部２０２の入力端子２０２ａに入力した際に、出力端子２０２ｋから信号線１２２を介して入出力部１０３の入力ポート１０３ｃに信号が入力することにより、制御部１０４においては、ハイレベル「１」が検出され、入出力部１０３の入力ポート１０３ｂには信号が入力しないので、制御部１０４においては、ローレベル「０」が検出される。
【０１２６】
また、図１９（ｃ）では、ランク識別部２０２は、信号線１２１と信号線１２３とを短絡する電気配線２００２が形成されている。従って、入出力部１０３の出力ポートからハイレベル「１」の信号が信号線１２１を介してランク識別部２０２の入力端子２０２ａに入力した際に、入出力部１０３の入力ポート１０３ｃには信号が入力しないので、制御部１０４においては、ローレベル「０」の信号が検出され、出力端子２０２ｊから信号線１２３を介して入出力部１０３の入力ポート１０３ｂに信号が入力することにより、制御部１０４においては、ハイレベル「１」の信号が検出される。
【０１２７】
また、図１９（ｄ）では、ランク識別部２０２は、信号線１２１と信号線１２２とを短絡する電気配線２００１、及び信号線１２１と信号線１２３とを短絡する電気配線２００２が形成されている。従って、入出力部１０３の出力ポートからハイレベル「１」の信号が信号線１２１を介してランク識別部２０２の入力端子２０２ａに入力した際に、出力端子２０２ｋから信号線１２２を介して入出力部１０３に信号が入力するとともに、出力端子２０２ｊから信号線１２３を介して入出力部１０３の入力ポート１０３ｂに信号が入力することにより、制御部１０４においては、何れもハイレベル「１」が検出される。
【０１２８】
このように、本実施の形態によれば、ＬＥＤが発する光の色度に応じてＬＣＤに表示する画像の色を補正することにより、コストを増大させることなく高画質化の要求に応えることができる。また、本実施の形態によれば、ＬＥＤを実装する回路基板に、実装されたＬＥＤの色度のランクを識別するための回路を一緒に形成するので、携帯電子機器に組み込まれたＬＥＤの色度のランクと異なるランクを示す回路構成を有するランク識別部が、誤って携帯電子機器に実装されてしまうことを防ぐことができる。また、本実施の形態によれば、ＬＥＤの波長ばらつきのみまたはＬＥＤの蛍光体のばらつきのみを補正する場合には、ＬＥＤの波長ばらつきと蛍光体のばらつきの双方を補正する場合に比べて、色補正に伴う回路処理の負荷を軽減することができる。
【産業上の利用可能性】
【０１２９】
本発明にかかる携帯電子機器は、特にバックライトに搭載する白色発光ダイオードが発する光の色度のばらつきを低減するのに好適である。
【図面の簡単な説明】
【０１３０】
【図１】本発明の実施の形態１に係る携帯電子機器の構成を示すブロック図
【図２】本発明の実施の形態１に係る面状発光装置及び入出力部の構成を示す図
【図３】本発明の実施の形態１に係るランク識別部の構成を示す図
【図４】本発明の実施の形態１に係るランク識別部の色度ランク毎の抵抗の有無を示す図
【図５】本発明の実施の形態１に係る色の補正方法を示すフロー図
【図６】本発明の実施の形態１に係るテーブルを示す図
【図７】本発明の実施の形態１に係る色の補正方法を示す図
【図８】本発明の実施の形態１に係る色の補正方法を示す図
【図９】本発明の実施の形態１に係る色の補正方法を示す図
【図１０】本発明の実施の形態１に係る色の補正方法を示す図
【図１１】本発明の実施の形態１に係る色の補正方法を示す図
【図１２】本発明の実施の形態２に係る色の補正方法を示すフロー図
【図１３】本発明の実施の形態２に係るランク識別部と入出力部の構成を示す図
【図１４】本発明の実施の形態２に係るランク識別部の色度のランク毎の抵抗の有無を示す図
【図１５】本発明の実施の形態２に係るテーブルを示す図
【図１６】本発明の実施の形態２に係る色の補正方法を示す図
【図１７】本発明の実施の形態２に係る色の補正方法を示す図
【図１８】本発明の実施の形態３に係るランク識別部の構成を示す図
【図１９】本発明の実施の形態４に係るランク識別部の構成を示す図
【図２０】従来のＬＣＤの正面図
【図２１】従来のＬＣＤの平面図
【図２２】色度に応じたＬＥＤの色度のランクを示す図
【符号の説明】
【０１３１】
１００  携帯電子機器
１０１  ＬＥＤ電源部
１０２  面状発光装置
１０３  入出力部
１０４  制御部
１０５  画像データ生成部
１０６  色補正部
１０７  ＬＣＤ
１１０  制御部
１２１、１２２、１２３  信号線
【図１】
0005166050.tif 000002
【図２】
0005166050.tif 000003
【図３】
0005166050.tif 000004
【図４】
0005166050.tif 000005
【図５】
0005166050.tif 000006
【図６】
0005166050.tif 000007
【図７】
0005166050.tif 000008
【図８】
0005166050.tif 000009
【図９】
0005166050.tif 000010
【図１０】
0005166050.tif 000011
【図１１】
0005166050.tif 000012
【図１２】
0005166050.tif 000013
【図１３】
0005166050.tif 000014
【図１４】
0005166050.tif 000015
【図１５】
0005166050.tif 000016
【図１６】
0005166050.tif 000017
【図１７】
0005166050.tif 000018
【図１８】
0005166050.tif 000019
【図１９】
0005166050.tif 000020
【図２０】
0005166050.tif 000021
【図２１】
0005166050.tif 000022
【図２２】
0005166050.tif 000023